Podtech/llm-jp-corpus-v4-ja_patent huggingface dataset:
(57)【要約】【課題】柔らかく繊細なものを対象とし、くっつきの煩わしさを解決し電気掃除機に多くの機能を増やし衣料や人の肌に使用できる一般家庭で使用する市販の電気掃除機に装着する電気掃除機のノズルを提供する。【解決手段】電気掃除機に装着するノズルの内にすき間のある回転板と固定板を設置することによって吸引の間欠を得、各使用目的にあわせた各種の吸引孔カバ−と吸引力を段階的に調整するための空気圧調整孔と空気圧調整弁をそなえた電気掃除機のノズル。【選択図】図１
0003165838.tif 000002
【実用新案登録請求の範囲】
【請求項１】
電気掃除機に装着するノズルの内に形の異なったすき間のあいた円板を２枚設置し、１枚を固定し、もう１枚を電気モ−タ−に直結した回転軸に装着して回転させることにより吸引を連続的に間欠することを特徴とする衣料や人の肌のための吸引間欠式の電気掃除機のノズル。
【請求項２】
上記ノズルの吸引孔には衣料用や人の肌用と柔らかく繊細なものへの各使用目的にあわせた交換可能な複数の吸引孔カバ−を取り付けるものとし、ノズルに複数の空気圧調整孔をつけ空気圧調整弁により段階的に強・中・弱・微弱と吸引される空気圧を調整することを特徴とする請求項１記載の衣料や人の肌のための吸引間欠式の電気掃除機のノズル。
【考案の詳細な説明】
【技術分野】
【０００１】この考案は衣料の清掃や人の肌の健康のため使用目的にあわせた交換可能な吸引孔カ−バ−を各種そなえ、柔らかなもの、繊細なものを清掃し清潔するための吸引間欠式の電気掃除機のノズルに関するものである。
【背景技術】
【０００２】従来、一般家庭で使用されている電気掃除機はより強い吸引力を得ることを主な目的とし衣料や人の肌など柔らかく繊細なものに対する機能が不足していた。
【考案の概要】
【考案が解決しようとする課題】
【０００３】本考案は従来の電気掃除機がより吸引力を得ることを主な目的としてきてのに対し、目的の対象を柔らかなもの繊細ものとし、衣料や人の肌に使用できるようにし、また電気掃除機の吸引によるくっついて離れることが困難になる状態を解決し、安全で取り扱いが容易であり一般家庭で使用する電気掃除機の機能がより多様性を持つことができる電気掃除機のノズルを提供することにある。
【考案を解決するための手段】
【０００４】本考案は上記課題を解決するためなされたもので請求項１では電気掃除機に装着するノズル内に形の異なったすき間のあいた円板を２枚設置し、１枚を固定し、もう１枚を電気モ−タ−に直結した回転軸に装着した回転板を回転させることにより吸引を連続的に間欠するもので、すなわち吸引の連続的間欠とは吸引の強弱が交互に繰り返されることであり、円板のすき間をもう１枚の円板が埋める時は吸引力が弱くなり、互いのすき間が重なる時は吸引力が強くなることであり、この事により引き起こされる振動状態により衣料や肌についた細かいチリや花粉などを効果的に除去しやすくし、また間断のない吸引によるくっつきの問題も吸引が間欠であることにより解決される電気掃除機のノズルである。
また請求項２では対象となるものが衣料や人の肌など柔らかく繊細なものであるから吸引孔カバ−はその使用目的にあわせて交換できるものとし、衣料にはブラシ型・メッシュ型とし、人の肌にはシャワ−型・ロ−ラ−型を使用するものとする。ノズルにそって空気圧調整孔を１列に複数もうけ空気圧調整弁を順次スライドすることで空気圧を段階的に強・中・弱・微弱と調整する電気掃除機のノズルである。
【考案の効果】
【０００６】本考案はこれまで一般家庭で使用される電気掃除機のパワ−重視に対して、よりソフトに、そしてより多様性をもつことを目的としたもので吸引が連続的に間欠となることで生み出される振動状態により少しのパワ−でも小さなチリや粒子などを効果的に除去し、また従来の電気掃除機の間断のない吸引によるひっつきの問題も吸引が間欠となることで解決されるものであり、衣料の清掃時の煩わしさもなくなり、また衣服についた花粉の除去にも効果的である。人の肌への使用もひっつきがなく空気圧を弱・微弱とすることで過剰な吸引を制御し吸引孔カバ−を設置することで安全であり、肌に付着したチリや老廃物の除去に効果があり、また振動により肌の血行をよくする効果も生まれるものである。
一般家庭で使用している電気掃除機に本考案のノズルを装着することにより１台の掃除機でより多くの機能を持ち、かつ収納しやすく安価である。
【図面の簡単な説明】
【０００６】
【図１】機器の側面方向からの本考案の一実施例を示す部分断面図である。
【図２】固定板である。
【図３】回転板である。
【図４】機器の背面図である。
【図５】機器の正面図である。
【考案を実施するための形態】
【０００７】以下、本考案を実施するための形態について説明するが図１は側面方向からの本考案の一実施例を示す部分断面図である。図２は固定板であり図３は回転板である。図４は本考案の背面図であり図５は本考案の正面図である。吸引孔１の裏には回転板３と固定板２が設置され、共に円板状をして、固定板２にはすき間として４つの孔があり回転板３が固定板２のすき間を埋めたとき吸引が弱となり、すき間同士が重なった時、吸引が強となる。なお、すき間を埋めたときに吸引が完全にストップしないように回転板３の重なり部分に小さな孔がある。空気圧調整孔４は吸引力の調整のためノズルにそって１列に複数もうけることとし、空気圧調整弁５が空気圧調整孔４を全て埋めたとき、吸引力が強となり、一つを開けると中、二つ開けると弱、三つ開くと微弱となるよう順次スライドして吸引力をコントロ−ルする。電池及び電気モ−タ−部９は回転板３を回転させる動力である。動力と回転板３は回転軸８により直結している。連結用ホ−ス７は一般家庭で使用する電気掃除機に装着しやすいよう軟ゴム製としている。各種の吸引孔カバ−は使用目的に応じて、衣料にはメッシュ型．ブラシ型を使用し、肌にはシャワ−型．ロ−ラ−型を使用するものとし、使用用時に各、交換するものである。
【０００８】なお本考案は本実施形態に限定されるものではなく適宜変更して実施が可能である。図１で示されたデザインに限定されず、回転板３と固定板２の設置位置は図１で示した位置に限定しなくてもその機能が可能であるなら他の場所でも設置でき、回転板３と固定板２の形状も吸引間欠が得れるのであれば他の形状をとることも可能であり、動力を電池と限らず電気掃除機の本体から得ることも可能であり、空気調整孔の数も限定されたものではなく、各種ある吸引孔カバ−の種類も用途に応じて増やすことが可能である。
【符号の説明】
【０００９】１      吸引孔
２      固定板
３      回転板
４      空気圧調整孔
５      空気圧調整弁
６      持手部分
７      連結用ホ−ス
８      回転軸
９      電池収納部及び電気モ−タ−部
１０    電源スイッチ
【図１】
0003165838.tif 000003
【図２】
0003165838.tif 000004
【図３】
0003165838.tif 000005
【図４】
0003165838.tif 000006
【図５】
0003165838.tif 000007
(57)【要約】      （修正有）【課題】袋の口を閉じるためのものがなくても、簡単に口を閉じることが出来る口閉じ機能付き袋を提供する。【解決手段】菓子袋等の入り口付近の外側又は内側の適宜な位置にアルミ箔を貼るか、或いは、袋に直接アルミ箔を加工する。【選択図】図１
0003165862.tif 000002
【実用新案登録請求の範囲】
【請求項１】
袋の入り口付近の外側又は内側の適宜な位置にアルミ箔が貼られた、或いは、袋に直接アルミ箔が加工されたことを特徴とする口閉じ機能付き袋。
【考案の詳細な説明】
【技術分野】
【０００１】  本考案は、袋の口を閉じる機能をもつ口閉じ機能付き袋に関するものである。
【背景技術】
【０００２】  従来、袋の口を閉じる際は、紐、ワイヤー入りリボン、ゴム、クリップなどを使用していた。
なお、袋の口を閉じる機能がついているものには、ジップロックが知られているほか、ジッパー付きのもの（特許文献１参照）や、ワイヤー付きのもの（特許文献２参照）がある。
【先行技術文献】
【０００３】
【特許文献１】  特許公開２０００−３３９５６号公報
【特許文献２】  登録実用新案第３０４７８０２号公報
【考案の概要】
【考案が解決しようとする課題】
【０００４】  パンや菓子、食品などが入っている袋を開けて、まだ内容物が残っている時には、袋の口を閉じるために、ワイヤー入りのリボンや紐、ゴムやクリップなどの特別の留め具を用意しなければならなかった。袋口がジッパー式の場合、凹凸の噛み合わせは意外に厄介で、又、指先の力も要り、高齢者や小さい子供には難しい面がある。ワイヤー付き袋は、中の残留内容物の形状によっては、なかなか上手く折り込んだり巻き込んだりができない。また、それらが無い時は、袋の入り口付近を折りたたんで保管している。
本考案は、以上の問題点を解決するためになされたものである。
【課題を解決するための手段】
【０００５】  菓子袋等の入り口付近の外側又は内側の適宜な位置にアルミ箔を貼るか、或いは、袋に直接アルミ箔を加工する。
以上の構成よりなる口閉じ機能付き袋である。
【考案の効果】
【０００６】  従来、袋の口を閉じるために、さまざまなものを使用していたが、本考案により、閉じるためのものがなくても、内容物の形状に関係なく、素早く簡単に袋の口を閉じることが可能である。本考案は、色々な材質の袋にも利用可能である。
【図面の簡単な説明】
【０００７】
【図１】本考案の斜視図
【図２】本考案の実施例を示す斜視図
【考案を実施するための形態】
【０００８】  以下、本考案の実施の形態を説明する。
様々な材質からなる袋（１）の入り口付近の外側又は内側の適宜な位置にアルミ箔（２）を貼るか、或いは、袋に直接アルミ箔を加工する。
本考案を使用するときは、内容物の入った袋のアルミ箔の部分をねじる、又は折りたたむ。袋から内容物を取り出すときは、ねじったり折りたたんだりした部分を元の位置に戻す。繰り返し使用でき、指先の特別の力を要することもなく、手を切ったりせず安全でもある。
【符号の説明】
【０００９】（１）袋、（２）アルミ箔
【図１】
0003165862.tif 000003
【図２】
0003165862.tif 000004
(57)【要約】      （修正有）【課題】靴下などを着用したままでも足湯の温かさを体感するための足湯用ブーツを提供する。【解決手段】軽量、衛生的で、熱伝導性に優れたアルミ箔のような素材を用い、足部と、上方に延びる筒状部及びギャザー状に形成された足首部、筒状部の上部開口部に持ち手を設けた左右一対のブーツ型である。【選択図】図１
0003165863.tif 000002
【実用新案登録請求の範囲】
【請求項１】
軽量、衛生的で、熱伝導性に優れたアルミ箔のような素材を用い、足部と、上方に延びる筒状部及びギャザー状に形成された足首部とから成り、筒状部の上部開口部に持ち手を設けた左右一対のブーツ型を特徴とする足湯用ブーツ。
【考案の詳細な説明】
【技術分野】
【０００１】  本考案は、足湯に入る際に使用する足湯用ブーツに関するものである。
【背景技術】
【０００２】    従来、足湯に入る際には、素足になって湯に浸かっていた。
なお、お湯を充填した容器内に両足を挿入して使用するものとして、加熱装置や温水器などの大掛かりな電器を備えたもの（特許文献１参照）や、お湯を入れられる単なるブーツ型容器（特許文献２参照）などが知られている。
【先行技術文献】
【０００３】
【特許文献１】  登録実用新案第３１３１６０８号公報
【特許文献２】  特許公開２００４−１１３７２４号公報
【考案の概要】
【考案が解決しようとする課題】
【０００４】  通常、足湯に入る際には素足にならなければならない。ストッキングや靴下、スキニー（ピタットしたズボン）などを着用していると、脱ぐのに手間が掛かり気軽に入れない。足湯用のお湯を入れるブーツ型容器においても、大掛かりな装置付きは親しみにくく、余分な電気エネルギーを消費してしまうことになるし、又、単なるブーツ型容器は気軽ではあるが、お湯がすぐ冷めてしまうので、入浴時だけしか使えそうにない。
本考案は、以上の問題点を解決するためになされたものである。
【課題を解決するための手段】
【０００５】  軽量、衛生的で、熱伝導性に優れたアルミ箔のような素材を用い、足部と、上方に延びる筒状部及びギャザー状に形成された足首部、筒状部の上部開口部に持ち手を設けた左右一対のブーツ型本体である。
以上の構成よりなる足湯用ブーツ。
【考案の効果】
【０００６】  従来、素足で入らなければならなかった足湯を、本考案により素足でなくても足湯の温かさを体感できる。着用しているものを脱ぐ必要もなく、濡れることがないので拭く必要もなく、とり急ぎ疲れた足を温かく包み込み、ホッとくつろぎ感を与えてくれる。余分なエネルギーコストもかからない。
本考案は、公共施設の足湯だけでなく、家庭用としても使用できる。
【図面の簡単な説明】
【０００７】
【図１】本考案の斜視図
【考案を実施するための形態】
【０００８】  以下、本考案の実施の形態を説明する。
軽量、衛生的で、熱伝導性に優れたアルミ箔のような素材を用い、足部と、上方に延びる筒状部及びギャザー状に形成された足首部とから成り、筒状部の上部開口部に持ち手を設けた、左右一対のブーツ型本体である。
本考案は以上のような構造である。
本考案を使用するときは、開口部（４）の後方に設けられた持ち手（５）を持ちながら本体（６）に足を挿入し、筒状部（２）から足首部（３）を通り足部（１）に到達させる。靴下などを着用したままの状態でブーツを履き、ブーツごと湯に浸かる。足湯の温かさを体感出来、直接足が濡れないので、足を拭く必要がない。また、本体（６）の高さは、湯が開口部（４）から本体（６）内に入らない程度のものとする。足首部（３）のギャザーにより、足首の曲げ角度にも自由に適応できる。
【符号の説明】
【０００９】（１）足部、（２）筒状部、（３）足首部、（４）開口部、（５）持ち手
（６）本体
【図１】
0003165863.tif 000003
(57)【要約】      （修正有）【課題】加熱による筋肉の収縮により、骨部と鶏肉部が分離し、肉離れがよくなり、食べ易くなる鶏手羽空揚を提供する。【解決手段】鶏手羽中部の空揚げを製造する工程において、腱が固着しており尺骨と橈骨が固定している関節骨端部を切り離すことにより、可食部である鶏皮部と鶏肉部が加熱の際、自由に収縮するため、骨離れがよくて食べ易く、更に手持部が形成されて持ち易いという、鶏手羽中部の空揚げを実現する。【選択図】図３
0003165869.tif 000002
【実用新案登録請求の範囲】
【請求項１】
鶏手羽中部の骨端部を切断して形成された太鼓型手羽中部と、
該太鼓型手羽中部を食用油揚げすることによって鶏皮部及び鶏肉部が収縮して形成されると共に、前記骨端部の切断線より突出する尺骨部及び橈骨部の各々の先端部とを成したことを特徴とする鶏手羽空揚。
【考案の詳細な説明】
【技術分野】
【０００１】
本考案は、鶏手羽中の空揚げに関する。
【背景技術】
【０００２】
鶏手羽先の空揚げは、鶏の翼部分である鶏手羽の関節の軟骨部に包丁の刃を入れて切離し、手羽元、手羽中、手羽先と切り分けた後、所定時間調味液に浸漬し、更に澱粉で表面を被覆した後、油で加熱処理して製造されている。
【０００３】
従来、骨を突出させて串状の手持部を得る方法として、手羽中の一方の端部の肉部に包丁で切れ目を入れ、切れ目より他方の骨端部に向け、骨部に沿って剥ぐように移動する肉裂き反転手段により、切れ目より他方の骨端部に位置する鶏肉は骨部からめくれるように反転して形成されている。このものは、通常骨付きのチュウリップと称されている。
この空揚げは、見た目のよさ、食べ易さ等の理由により多用されている。
【先行技術文献】
【特許文献】
【０００４】
【特許文献１】特開平７−３１３０４９号公報
【特許文献２】特開平８−１４０５６１号公報
【０００５】
鶏の長い翼の骨で、人間の上腕部にあたる手羽中は、尺骨と橈骨の結合部分が一体化して固定しており、更に筋肉に連なる結締組織で筋の付根部にあたる腱も骨頭部である関節に固着している。
【考案の概要】
【考案が解決しようとする課題】
【０００６】
このため、手羽中の可食部分である鶏皮、鶏肉が外れにくく、骨離れが悪くて食べ難たく、鶏肉が骨に残るという課題があった。
【課題を解決するための手段】
【０００７】
上記の課題を解決するための本考案の方法は、尺骨と橈骨の結合部分、及び腱の固着
部分である関節の両端を切断して、取り除いたものである。
【考案の効果】
【０００８】
加熱による筋肉の収縮により、骨部と鶏肉部が分離し、肉離れがよくなり、食べ易くなった。
【０００９】
鶏肉部の収縮により、肉汁が保持され、軟かくジュウシーな食感が得られた。
【００１０】
骨髄部が露呈して骨髄液が滲出し、コクとウマミが増加して美味となった。
【００１１】
ミネラル分やビタミン類の豊冨な髄液の流出により、栄養価が向上した。
【００１２】
腱や関節部を取り除いたので、太鼓型の良好な外観を有し、更に両端に骨の先端が露頭するため、持ち易く食するに便利な形態となった。
【考案を実施するための形態】
【００１３】
関節の両端部である骨頭部分を７〜１０ｍｍ程度包丁又は丸鋸で切り落とし、一体化している尺骨と橈骨の結合部、及び腱の固着部を、もろともに切断して取除いて、可食し易い太鼓型の鶏手羽中を得た。
【実施例】
【００１４】
以下、本考案の実施の形態を図１〜図３に基づいて説明する。
〔図１〕における鶏手羽中の断面図においては、鶏手羽中部（９）の可食部である鶏皮部（１）と鶏肉部（２）は筋肉に連なる結締組織で筋の付根にあたる腱で骨端部（５）に固着しており、更に並列している骨部である尺骨部（３）と橈骨部（４）は骨端部（５）において一体化して固定している。
【００１５】
〔図２〕における骨端部切除鶏手羽の断面図においては、鶏肉部（２）に連なる腱の固着部である関節部と、尺骨部（３）と橈骨部（４）の結合部でもある関節部を骨端部切断線（６）にて切断して、太鼓型の形状を有する手羽中部（１０）を得たものである。
【００１６】
〔図３〕における手羽中部（１０）の断面図は、食用油による加熱によって、可食部である鶏皮部（１）と鶏肉部（２）が収縮し、尺骨突出手持部（７）と橈骨突出手持部（８）が突出して取手状の手持部を形成した手羽中の構造を示すものである。
【００１７】
なお、本考案における上記形態は、手羽中に限定されるものでなく、腿肉や手羽元等の長骨の先端部を切断して取り除いても同様の効果を得るものである。
【産業上の利用可能性】
【００１８】
以上のように本考案における鶏手羽中は、空揚げのみでなく、筑前煮や治部煮のような煮物や蒸し物等にも利用できる上、骨髄質の滲出により、美味で、栄養価が高く、更に食べ易く、ジュウシーな食感を有する上、持ち易く、食するに便利な形態を有する骨端部切除鶏手空揚を提供することにより、ヘルシーな鶏肉の消費拡大をはかるものである。
【図面の簡単な説明】
【００１９】
【図１】本考案における手羽中の断面図。
【図２】本考案の物品の形状を示す太鼓型の手羽中部（１０）の断面図。
【図３】食用油による加熱によって、尺骨部の先端部（７）と橈骨部の先端部（８）が突出したことを示す手羽中部（１０）の断面図。
【符号の説明】
【００２０】
１、  鶏皮部
２、  鶏肉部
３、  尺骨部
４、  橈骨部
５、  骨端部
６、  骨端部切断線
７、  尺骨部の先端部
８、  橈骨部の先端部
９、  鶏手羽中部
１０、手羽中部  
【図１】
0003165869.tif 000003
【図２】
0003165869.tif 000004
【図３】
0003165869.tif 000005
(57)【要約】      （修正有）【課題】農作業等で、畑に畝を作る等の際、別に測定器具を用意せずに、間隔・位置を素早く決めることを可能とする計測具付農耕具を提供する。【解決手段】農作業で使用する農耕具、例えば鍬やレーキの柄２等の部分３に、測定用の物指しを設ける。この物指しには、農耕具に印刷、貼り付け、焼き入れ、彫り込み等により寸法を、メートル、尺、インチなどの単位、または農作業上使用する特定の単位等に基づき表示する。【選択図】図１
0003165816.tif 000002
【実用新案登録請求の範囲】
【請求項１】
農作業に使用する計測単位、例えばメートル、尺、インチ等からなる物指しを具備した農耕具。
【請求項２】
農作業上で必要な測定、例えば畝の幅乃至畝同士の距離等の農業上使用する特定の単位を備えた、上記請求項目１記載の物差しを具備した農耕具。
【請求項３】
上記請求項目１記載の物指しを、印刷、貼り付け、焼き入れ、彫りこみ等で農耕具の柄等の部分に備えることを特徴とする、上記請求項目１記載の農耕具。
【考案の詳細な説明】
【考案の詳細な説明】
この考案は、農作業で使用する農耕具、例えば鍬やレーキの柄等の部分に、測定用の物指しを備えたものである。この物指しは、農耕具に印刷等により備えられ、メートル、尺、インチなどの単位、または農作業上使用する特定の単位等である。
この発明により、農作業時に畑等に畝幅を設定するなどの場合に、その都度メジャー等の測定器具を準備する必要がなく、農作業を効率よく行うことが可能となる。
【図面の簡単な説明】
【図１】  本案の一例の斜視図１
【符号の説明】  １は鍬、２は柄、３はメジャーをプリントした部分
【図１】
0003165816.tif 000003
【手続補正書】
【提出日】平成22年11月8日(2010.11.8)
【手続補正１】
【補正対象書類名】実用新案登録請求の範囲
【補正対象項目名】全文
【補正方法】変更
【補正の内容】
【実用新案登録請求の範囲】
【請求項１】
農作業に使用する計測単位、例えばメートル、尺、インチ等からなる物指しを柄の部分に具備した農耕具。
【請求項２】
農作業上で必要な測定、例えば畝の幅乃至畝同士の距離等の農業上使用する特定の単位を柄の部分に備えた、上記請求項目１記載の物差しを具備した農耕具。
【請求項３】
上記請求項目１記載の物指しを、印刷、貼り付け、焼き入れ、彫りこみ等で農耕具の柄の部分に備えることを特徴とする、上記請求項目１記載の農耕具。
(57)【要約】      （修正有）【課題】ペン立てとして使用できるペンシルケースを提供する。【解決手段】布製のキャップ１に１本の開閉用ファスナー２を有し、キャップ１内側面に複数の筆記用具収納用の袋３が添着される。ファスナー２を開いて袋３を外側にして裏返し、再びファスナー２を閉じてキャップ１を下方に折り曲げて挿入させることによりペン立てとして使用する。【選択図】図１
0003165818.tif 000002
【実用新案登録請求の範囲】
【請求項１】
ファスナーを開いて筆記用具が外側になるように裏返し、再びファスナーを閉じてペン立てとして使用できるようにしたペンシルケース。
【考案の詳細な説明】
【技術分野】
【０００１】
本考案は、ペン立ての機能を兼ねたペンシルケースに関するものである。
【背景技術】
【０００２】
筆記用具の運搬に用いられるペンシルケースは、取り出した筆記用具が机上に散乱するという難点があった。
【０００３】
これを解決するために、ペンシルケースを裏返してそのままペン立てとして使用できるようにした。
【非特許文献１】筆箱採集帳  ブングジャム編  ロコモーションパブリッシング
【非特許文献２】ペンシルケースの通販専門店グリップ（Ｇｒｉｐ）商品一覧  http://pencase.ocnk.net/
【考案の概要】
【考案が解決しようとする課題】
【０００４】
解決しようとする問題点は、通常の携帯用ペンシルケースから出した筆記用具が机上で散乱することである。
【課題を解決するための手段】
【０００５】
ペンシルケースを開き、裏返して再び閉じることにより、そのまま机上でペン立てに変えるものである。
【考案の効果】
【０００６】
運搬用のペンシルケースと机上に置くペン立ての両方を兼ね備え、瞬時に用途を変えられるのが利点である。
【図面の簡単な説明】
【０００７】
【図１】ペンシルケースのファスナーを開いた状態を示す斜視図である。
【図２】ファスナーを閉じてペンシルケースとして使用している状態を示す斜視図である。
【図３】筆記用具が外側にくるように裏返し、再びファスナーを閉じた状態を示す斜視図である。
【図４】図３の中央のキャップを下に落としこみ、ペン立てにした状態を示す斜視図である。
【符号の説明】
【０００８】
１  キャップ
２  ファスナー
３  袋
【考案を実施するための形態】
【０００９】
図２は筆記用具を収納してファスナー２を閉じ、ペンシルケースとして持ち運びできる状態である。これを図１のようにファスナー２を開き、さらに図３のように全体を裏返して再びファスナー２を閉じ、そして図４のようにキャップ１を下側に落としこむことにより、これをペン立てとして使用する。
【実施例】
【００１０】
図２はファスナー２を閉じ、ペンシルケースとして持ち運び可能な状態である。
【００１１】
図１はファスナー２を開いた状態であり、内側の袋３に筆記用具が収納されている。
【００１２】
図３はファスナー２を開いたまま袋３が外側になるように全体を裏返し、再びファスナー２を閉じた状態である。
【００１３】
図３の状態から、中央のキャップ１の部分を下に落としこめば、その部分にも筆記用具を入れることができ、全体を卓上のペン立てとして使用できる。
【００１４】
以上の手順を逆に行えば、図４のペン立ての状態から図３、図１、図２の順序で、ペンシルケースに変えて持ち運びできる。
【図１】
0003165818.tif 000003
【図２】
0003165818.tif 000004
【図３】
0003165818.tif 000005
【図４】
0003165818.tif 000006
【手続補正書】
【提出日】平成22年11月30日(2010.11.30)
【手続補正１】
【補正対象書類名】実用新案登録請求の範囲
【補正対象項目名】全文
【補正方法】変更
【補正の内容】
【実用新案登録請求の範囲】
【請求項１】
布製のキャップ（１）に１本の開閉用ファスナー（２）を有し、キャップ（１）内側面に複数の筆記用具収納用の袋（３）が添着され、ファスナー（２）を開いて袋（３）を外側にして裏返し、再びファスナー（２）を閉じてキャップ（１）を下方に折り曲げて挿入させることによりペン立てとして使用できるようにしたペンシルケース。
(57)【要約】      （修正有）【課題】簡単な形状で開創でき、切開口や腹腔内への損傷を少なく、且つ、単孔ポート等挿入後は容易に取り除くことができるダイレーターを提供する。【解決手段】先端１を球面体２に形成し、この先端を鈎状３に形成すると共に、ハンドル部４の近傍を屈曲形成５したダイレーターと、先端を球面体に形成し、ハンドル部の近傍を屈曲成形したダイレータを備える。また、先端とハンドル部との中間部に平面部６を形成し、単孔ポート等の挿入案内を配設して構成する。【選択図】図１
0003165815.tif 000002
【実用新案登録請求の範囲】
【請求項１】
先端を球面体に形成し、この先端を鈎状に形成すると共に、ハンドル部の近傍を屈曲形成したダイレーターと、先端を球面体に形成し、ハンドル部の近傍を屈曲成形していることを特徴とする、ダイレーター。
【請求項２】
また本考案では、上記の構成において、先端とハンドル部との中間部に平面部を形成したことを特徴とする、ダイレーター。
【考案の詳細な説明】
【技術分野】
【０００１】  本考案は、例えば手術のために切開した切開口を広げる、ダイレーターに関する。
【背景技術】
【０００２】  例えば手術の為に切開した切開口を、ダイレーターを用いて広げる必用がある。【０００３】  このような切開口を広げる従来例としては、特許文献１記載されているものがある。
この特許文献１に記載されている医療器具の開創器によれば、アームの先端側に下方向に屈曲して備えた屈曲アーム部の先端部に、切開部位を押し広げる際に、切開部位を係止保持するためのブレードを設け、このブレードの先端部の折曲げ線を、側面視の前記アームとほぼ平行に設けてあるので、前記ブレードの先端部を切開部位において皮下深く挿入した場合であっても、ブレードの先端部の折曲げ線を表面とほぼ平行に保持することができ、アーム及びハンドルが持ち上がるようなことがない。
【先行技術文献】
【特許文献】
【０００４】
【特許文献１】  特開２００５−２８００１（Ｐ２００５−２８００１Ａ）
【考案の概要】
【考案が解決しようとする課題】
【０００５】  切開口を広げる手段として上記のような開創器はあるが、切開口を広げて単孔ポート等の挿入の場合は、切開口を広げ単孔ポート等を挿入した後に、開創器を取り外す必要がある。
しかしながら、従来の開創器では、開創器の形状が腹腔内へ突出している片を有しているため単孔ポート等の挿入後には取り除けない。
また、開創器の形状が薄板状であるため、切開口や腹腔の粘膜を損傷する恐れがある。【０００６】  本考案は、上記従来の課題を解決するもので、簡単な形状で切開口を開創でき、この切開口や腹腔内への損傷を少なく、且つ、単孔ポート等挿入後は容易に取り外すことができるダイレーターを提供することを目的とする。
【課題を解決するための手段】
【０００７】  本考案では、先端を球面体に形成し、この先端を鈎状に形成すると共に、ハンドル部の近傍を屈曲形成したダイレーターと、先端を球面体に形成し、ハンドル部の近傍を屈曲成形した、切開口を開創するダイレーターを提案する。【０００８】  また本考案では、上記の構成において、先端とハンドル部との中間部に平面部を形成した、切開口を開創するダイレーターを提案する。
【考案の効果】
【０００９】  上述した請求項１〜２に記載のダイレーターでは、ダイレーターのハンドル部を持ち、先端の球面体で切開口の組織を引掛け、その組織を牽引して切開口を開創する。【００１０】  こうして切開口に単孔ポート等を挿入された状態でダイレーターを取り外せる。【００１１】  ダイレーターの先端を球面体にすることにより、切開口の組織を引掛け、その組織を牽引しても切開口や腹腔内の損傷が防止される。【００１２】  また、ダイレーターのハンドル部と先端との中間部に平面部を形成することで、この平面部が単孔ポート等の挿入の案内とすることで単孔ポート等の挿入が容易に行うことができる。
【図面の簡単な説明】
【００１３】
【図１】本考案の構成要素の斜視図である。
【図２】本考案の一実施形態を示す斜視図である。
【考案を実施するための形態】
【００１４】  以下、本考案のダイレーターの実施形態について、図１から図２を参照しながら説明する。
図１に示すように、  先端１を球面体２に形成し、この先端１を鈎状３に形成すると共に、ハンドル部４の近傍を屈曲形成５したダイレーターと、先端１を球面体２に形成し、ハンドル部４の近傍を屈曲成形５している。
また、図２に示すように、先端１とハンドル部４との中間部に平面部６を形成し、単孔ポート等７の挿入案内をしている。
【実施例】
【００１５】  この実施例によれば、先端１を球面体２に形成し、この先端１を鈎状３に形成すると共に、ハンドル部４の近傍を屈曲形成５したダイレーターと、先端１を球面体２に形成し、ハンドル部４の近傍を屈曲成形５した、ダイレーター。
これらのダイレーターのハンドル部４を持ち、鈎状３の先端１の球面体２と他方の先端１の球面体２で切開口８の組織を引掛け、その組織を牽引して切開口８を開創し、単孔ポート等７を挿入する。【００１６】  こうして切開口８に単孔ポート等７を挿入された状態で、ダイレーターが取り外されられる。【００１７】  ダイレーターの先端１を球面体２にすることにより、切開口８の組織を引掛け、その組織を牽引しても切開口８や腹腔内９の損傷が防止される。【００１８】  また、ダイレーターのハンドル部４と先端１との中間部に平面部６を形成することで、この平面部６が単孔ポート等７の挿入の案内となるので単孔ポート等７の挿入が容易に行うことができる。
【産業上の利用可能性】
【００１９】  本考案に係るダイレーターは、文字通り、単孔ポート等の挿入に用いることを目的としているが、その他の目的の切開口の開創にも利用可能である。
【符号の説明】
【００２０】１．先端                            ２．球面体
３．鈎状                            ４．ハンドル部
５．屈曲形成                        ６．平面部
７．単孔ポート等                    ８．切開口
９．腹腔内
【図１】
0003165815.tif 000003
【図２】
0003165815.tif 000004
【手続補正書】
【提出日】平成22年11月4日(2010.11.4)
【手続補正１】
【補正対象書類名】実用新案登録請求の範囲
【補正対象項目名】請求項１
【補正方法】変更
【補正の内容】
【請求項１】
先端を球面体に形成し、ハンドル部の近傍を屈曲形成したダイレーター。
【手続補正２】
【補正対象書類名】実用新案登録請求の範囲
【補正対象項目名】請求項２
【補正方法】変更
【補正の内容】
【請求項２】
先端を球面体に形成し、先端部を鈎状に形成すると共にハンドル部の近傍を屈曲形成したことを特徴とするダイレーター。
【手続補正３】
【補正対象書類名】実用新案登録請求の範囲
【補正対象項目名】請求項３
【補正方法】追加
【補正の内容】
【請求項３】
先端部とハンドル部の中間部に平面部を形成した事を特徴とする請求項１及び請求項２記載のダイレーター。
(57)【要約】      （修正有）【課題】暗い場所でも鑑賞することができる発光創作花を提供する。【解決手段】反射部材の上にビーズ付網状シートを固定し、その中心に器となるアメリカンフラワーを固定し、その中央に作品の中心となるプリザーブドフラワーを置き固定したもので構成される。プリザーブドフラワーの一部又は全部、アメリカンフラワーの全部、ビーズ付網状シートの全部に蓄光塗料を塗布する。【選択図】図１
0003165819.tif 000002
【実用新案登録請求の範囲】
【請求項１】
中心となる花、それを支持する器となる花、ビーズ付網状シート、反射部材を構成要素とし、それら前三者の全部ないし一部に蓄光塗料を塗布する。
【請求項２】
反射部材、蓄光塗料を塗布したビーズ付網状シートの上に、蓄光塗料を塗布した花を配置する。
【請求項３】
花を構成要素とし、その全部ないし一部に蓄光塗料を塗布する。
【請求項４】
反射部材を設置し、その上に蓄光塗料を塗布したビーズ付網状シートを乗せる。
【考案の詳細な説明】
【技術分野】
【０００１】
本考案は、花（ここで「花」とは、アメリカンフラワー、プリザーブドフラワーを指す）およびその土台に蓄光塗料を塗布した装飾品に関するものである。
【背景技術】
【０００２】
従来、上記花は、それ自体が発光するものではなく、明るい場所でのみ鑑賞できるものであった。
【考案の概要】
【考案が解決しようとする課題】
【０００３】
上述したように、従来品では明るい場所でのみ鑑賞することが可能であった。ゆえに、暗い場所でも鑑賞できる花を制作することができたら、独創的かつ創作性を有する作品となる。
【課題を解決するための手段】
【０００４】
本考案は、明るい場所でのみ鑑賞することが可能である従来品の上記問題を解決しようとするものであり、花に蓄光塗料を塗布することにより、暗い場所において花自体を発光させ、装飾品としての効用を高めることを目的とするものである。また、花の土台となる部位に反射部材を設置することで、蓄光および発光効果を増大させる。
【考案の効果】
【０００５】
花の全部ないし一部に蓄光塗料を塗布することで、自然光・人工光を吸収・蓄積した当該塗布部分が暗闇で発光する。そうすると、花自体が発光しているように見え、暗い場所でも当該花を観賞することができる。
【図面の簡単な説明】
【０００６】
【図１】図１は発光創作花の実施方法を示した説明図である。（実施例１）
【図２】図２は花への塗料塗布例を示した図である。
【考案を実施するための形態】
【０００７】
（１）中心部に飾る花を用意する。
（２）アメリカンフラワーで器となる花を製作し、その花器に（１）の花を配置する。
（３）中心部の花には全部ないし一部に、刷毛で蓄光塗料を塗布する。
（４）周辺部のアメリカンフラワーには全部に蓄光塗料を塗布する。
（５）アメリカンフラワーにはビーズで制作した取っ手を取り付ける。
（６）さらに、必要に応じリボンや小花でアレンジする。
（７）反射部材の上にビーズ付網状シートを乗せ、当該シート全体に蓄光塗料を刷毛で塗る。
（８）透明ケースの底にスペース部材を入れ、その上に（７）の反射部材、ビーズ付網状シートを乗せて固定する。
（９）（８）の上に、（１）から（６）により制作した作品を乗せ固定する。
（１０）当該作品を明るい場所に置き、自然光・人口光により蓄光させる。
（１１）その後、当該作品を暗い場所に置き、発光させる。
【実施例１】
【０００８】
添付図面１および２に従って一実施例を説明する。１はアレンジの中心となる花であり、その周りを２のような器となる花で囲み、この器に３のような取っ手を取り付け、１には９のように縁部のみに蓄光塗料を塗布し、２には８のように全部に蓄光塗料を塗布する。  
【０００９】
４はアレンジした作品を入れるクリアケース（透明素材の箱型ケース）であり、５の位置にスペース部材を入れ底上げし、その上に６の反射部材を設置する。さらにその上に７のビーズ付網状シートを敷き、全体に蓄光塗料を塗布する。
【００１０】
前項で作ったケースの中の土台にアレンジした１２３を設置する。完成した作品を明るい場所で蓄光させると、暗い場所で１２７が発光する。その際、６の反射部材により、蓄光および発光効果が高まる。
【符号の説明】
【００１１】
１    中心となる花
２    器となる花
３    取っ手
４    クリアケース
５    スペース部材
６    反射部材
７    ビーズ付網状シート
８    全部
９    縁部
【図１】
0003165819.tif 000003
【図２】
0003165819.tif 000004
【手続補正書】
【提出日】平成22年11月5日(2010.11.5)
【手続補正１】
【補正対象書類名】実用新案登録請求の範囲
【補正対象項目名】全文
【補正方法】変更
【補正の内容】
【実用新案登録請求の範囲】
【請求項１】
発光創作花において、下部分から作品の全体を反射させる事で発光効果を増大させる役目及び作品の土台としての役割を持つ反射部材の上に視覚的にも美しく発光させるために敷くビーズ付網状シートを固定し、その中心に器となるアメリカンフラワーを固定し、その中央に作品の中心となるプリザーブドフラワーを置き固定したもので構成されており、この中心となるプリザーブドフラワーの一部又は全部、器となるアメリカンフラワーの全部、下に敷くビーズ付網状シートの全部に蓄光塗料を塗布する事を特徴とする発光創作花。
(57)【要約】      （修正有）【課題】商品を常に手前に押し出して吊り下げることができる商品陳列器具を提供する。【解決手段】シート材料に、３つ以上の孔を開設し、シート材料をＳ字状に湾曲するとともに、陳列用のフックに孔を貫通させて、シート材料の弾性で常に商品がフックの手前方向に押し出されるようにする。シート材料の端部に、商品情報のタグを吊り下げることができるＵ字状の切り込みを設ける。【選択図】図１
0003165074.tif 000002
【実用新案登録請求の範囲】
【請求項１】
シート材料に、３つ以上の孔を開設し、シート材料をＳ字状に湾曲するとともに、陳列用のフックに孔を貫通させて、シート材料の弾性で常に商品がフックの手前方向に押し出されるようにしたことを特徴とする商品陳列器具。
【請求項２】
シート材料の端部には、商品情報のタグを吊り下げるためのＵ字状の切り込みを開設した請求項１に記載の商品陳列器具。
【請求項３】
シート材料の３つ以上の孔部には、十字状の切り込みを開設した請求項１又は請求項２に記載の商品陳列器具。
【考案の詳細な説明】
【技術分野】
【０００１】  本発明は、スーパー等において商品を吊り下げて陳列するフックに設置して、商品の欠品時に注意書きのラベルタグをフックの手前に吊り下げるための、タグの設置器具に関する。
【背景技術】
【０００２】  商品を吊り下げた状態で陳列するための商品陳列用器具として、長軸の棒状フックが従来周知である。この商品陳列用器具は、商品の上端部に設けられた丸穴や引っ掛け用の切り欠きを棒状フックに通すことで商品を吊り下げ、複数個の商品を連ねて整列させて陳列を行うものである。【０００３】  商品を購入する者は、吊り下げられた商品のうち、棒状フックの手前に位置する商品を、棒状部材から抜き取ってゆく。このため、商品が少なくなるに従い、棒状フックの最奥部に商品が位置するようになるため、商品が取りにくくなる。【０００４】  かかる問題点に対処した商品陳列器具として非特許文献１に示されるものが知られている。【０００５】シート状の材料に３つ以上の孔を開設し、該シート材料をＳ字状に湾曲するとともに、商品吊り下げ用フックに前記孔を貫通させることにより、該吊り下げフックに吊り下げた陳列商品が該シート材料の弾性で常に前方に押し出されることを可能にするものである。【０００６】これによれば、確かに商品の前出し作業は簡易化されるものの、商品コード等のラベルタグをフックに吊り下げた場合、商品欠品時には軽いタグはフック外部に押し出されてしまうという問題点が残る。また、シート材料が回転することにより、商品の形状によっては商品が手前に押し出される動作が安定しないという問題点が残る。
【先行技術文献】
【０００７】
【非特許文献１】特開平１１−２９９６０１
【考案の概要】
【考案が解決しようとする課題】
【０００８】本発明は、陳列された商品の欠品時に確認できるように、商品コード等のラベルタグをフックの最前部に吊り下げて、商品管理を行うことを可能とすることを目的とする。
【課題を解決するための手段】
【０００９】本発明の商品陳列器具は、シート状の材料に３つ以上の孔を開設し、シート材料をフックに貫通させ、商品を吊り下げた時に商品が手前に押し出されるように設置する。
また、シート材料の端に、商品ラベル用の取り付け部分を設けたことを特徴とする。【００１０】また、本発明は、３つ以上の孔に切り込みを入れることで、シート材料の回転を防止することを特徴とする。【００１１】さらに本発明は、商品ラベルをシート材料の端部に吊り下げることで、シート材料の回転を防止することができ、商品の過剰陳列を警告表示することを特徴とする。
【考案の効果】
【００１２】シート材料を透明な樹脂製の弾性材料とすることで、安価で効果的な器具を提供することができる。【００１３】シート材料の孔に、切り込みを入れることで、シート材料の回転を防止することができる。【００１４】シート材料の端部に、商品ラベルや警告表示をつり下がることで、シート材料の回転を防止することができる。【００１５】シート材料の端部に、過剰陳列防止の警告を表示することで、商品欠品時に過剰な発注を防止し、過剰陳列を防止することができる。
【図面の簡単な説明】
【００１６】
【図１】商品陳列器具用シート材料の実施例。
【図２】商品陳列吊り下げ用フックの例。
【図３】商品欠品時の実施例。
【図４】商品陳列時の実施例。
【符号の説明】
【００１７】１  シート材料
２  商品陳列吊り下げ用フック
３  商品情報用タグ
４  吊り下げられた商品
【図１】
0003165074.tif 000003
【図２】
0003165074.tif 000004
【図３】
0003165074.tif 000005
【図４】
0003165074.tif 000006
(57)【要約】      （修正有）【課題】首まわりの大きく開いた衣服を着けて、戸外で活動する場合に、首まわりを冷やして熱中症にかかりにくく、同時に首まわりの開いた部分の紫外線による日焼けなどを防止できる装着具を提供する。【解決手段】日差しをさえぎるケープに、保冷剤を入れるスペースを有する首まわり部材を一体としたことを特徴とする冷却ケープ。簡単に製造することが出来、暑い夏の戸外でのスポーツや散歩など戸外活動時に簡単に装着でき、首部を冷却すると共に、紫外線を防止でき、また軽く、運動の妨げにならない。またタオル材を使用すれば汗を吸い取り、快適に運動をすることが出来、またカラフルな素材を使用すれば、戸外のおしゃれな遊びにも適している。【選択図】図１
0003165073.tif 000002
【実用新案登録請求の範囲】
【請求項１】
日差しをさえぎるケープに、保冷剤を入れるスペースを有する首まわり部材を一体としたことを特徴とする冷却ケープ。
【請求項２】
タオル材を使用することを特徴とする請求項１記載の冷却ケープ。
【請求項３】
首まわり部材にマジックテープが取り付けられていることを特徴とする請求項１記載の冷却ケープ。
【考案の詳細な説明】
【技術分野】
【０００１】  本考案は、高温時に戸外で使用する装着具、特に首まわりを冷却できる機能を有するケープに関するものである。
【背景技術】
【０００２】  暑い夏に戸外でスポーツや散歩、園芸などする場合、日射と高温からの熱中症対策を欠かすことが出来ない。  従来夏の戸外用装着具として、紫外線よけのケープや（特許文献１）、首の後ろ側の日焼けを防ぐ襟巻き（特許文献２）、冷却用スカーフ（特許文献３）、首部、肩部、背などを冷やす冷却用具（特許文献４）など知られている。しかしながら、夏の衣服やＴシャツなど首まわりが大きく開いているため、熱中症防止のための首回りの冷却と、首から首周辺にかけての日焼けを完全に防ぐことは難しかった。【０００３】  また、特許文献４には首、肩部、背などを冷やす冷却用具は示されているが、この発明では微細発泡させたゴムシートなどを必要とするものであった。
【先行技術文献】
【特許文献】
【０００４】
【特許文献１】特開平９−１０５００６
【０００５】
【特許文献２】特開平９−１１１５１８
【０００６】
【特許文献３】特開２０１０−１５６０９１
【０００７】
【特許文献４】特開２００６−５７１８９
【考案の概要】
【考案が解決しようとする課題】
【０００８】  本考案は上記課題を解決し、首まわりの大きく開いた衣服を着けて、戸外で活動する場合に、首まわりを冷やして熱中症にかかりにくく、同時に首まわりの開いた部分の紫外線による日焼けなどを防止できる装着具を得ることを目的とする。
【課題を解決するための手段】
【０００９】  本考案は上記課題を解決するため、日差しをさえぎるケープに、保冷剤を入れるスペースを有する首まわり部材を一体としたことを特徴とする。
更にこのケープにタオル材を使用することを特徴とする。
更にカラフルな素材を使用することを特徴とする。
【考案の効果】
【００１０】  本考案によれば、簡単に製造することが出来、暑い夏の戸外でのスポーツや散歩など戸外活動時に簡単に装着でき、首部を冷却すると共に、紫外線を防止でき、また軽く、運動の妨げにならない。またタオル材を使用すれば汗を吸い取り、快適に運動をすることが出来、またカラフルな素材を使用すれば、戸外のおしゃれな遊びにも適している。
【図面の簡単な説明】
【００１１】
【図１】本考案の一実施の形態を示す図。
【図２】本考案の一実施の形態を示す図。
【図３】本考案の一実施の形態の製品を製造するための説明図。
【図４】本考案の一実施の形態の製品を製造するための説明図。
【図５】本考案の一実施の形態の製品を製造するための説明図
【考案を実施するための形態】
【００１２】  以下本考案の内容を図にそって説明する。図中ａ〜ｈは一数値例を示し、ａは１８ｃｍ、ｂは１４ｃｍ、ｃは９ｃｍ、ｄは７ｃｍ，ｅは４６〜５０ｃｍ、ｆは４３〜４６ｃｍ、ｇは４２ｃｍ、ｈは３３ｃｍである。もちろん本考案はこの数値に限定されるものではない。
本考案のケープを図１、図２に示す。図において１は従来のケープで、２は首まわり部材、３はマジックテープ、４は開口部である。図１は装着する際の形状で、首まわり部分の両端はマジックテープ３などで留めて使用する。図２は装着前の図で首まわり部分２は保冷材が装着できるように中空になっていることを示している。
【００１３】  本考案の冷却ケープを作るためには、図３に示すように布地を切断してケープ部分とする。また図４に示すように布地を切断して首まわり部分として、これを２枚作って縫い合わせるか、倍の幅に作って折り曲げる。そしてこのケープと首まわり部材を縫い合わせる。なお縫い合わせる際に、首まわり部材の両端部分は開いておく。そして首まわり部材の開口部から保冷材を入れて使用する。なお首まわりは個人差があるので、その両端部にマジックテープを取り付け、調整可能なようにすることもできる。
【実施例】
【００１４】  本考案の冷却ケープは市販のタオルを使用して作ることが出来る。
縦３３ｃｍ、横８４ｃｍの市販のタオルを２枚に折り、図５に示すように、ケープ部分と首まわり部分とし、これを切断する。これによって、図４の首まわり部材は２枚取れる。この２枚の部材の表と裏に長さ調節用のマジックテープ３をつける。
これを縫い合わせることによって、完成させることができる。【００１５】  本考案の冷却ケープを市販のタオル以外から作ることも当然でき、その場合は図４の首まわり部分の幅を２倍の大きさに取り、これを折り曲げることによって、２枚を縫い合わせる必要がなくなる。また首まわり部分を作る際にタオル材を直線状に裁断することによって、首まわりの伸びを抑えることも出来る。
本考案のケープのサイズ、首まわり部分の長さ、幅など図中に示したものは一例であり、適宜選択することができる。
【産業上の利用可能性】  本考案の冷却ケープは冷却および日焼け防止効果を有する装着具として、利用することが出来る。
【図１】
0003165073.tif 000003
【図２】
0003165073.tif 000004
【図３】
0003165073.tif 000005
【図４】
0003165073.tif 000006
【図５】
0003165073.tif 000007
(57)【要約】      （修正有）【課題】形状の変化する空間部を有し、安定した睡眠を得ることの出来る枕を提供する。【解決手段】二組の袋状本体１０の中に中袋１１を設け、この中袋１１の中に詰め物１２を充填してある。二組の袋状本体１０の両端部は合わせてリボン１３で結合され、二組に袋状本体１０の間には空間部１５が形成されている。袋状本体１０の周辺部はフリル１４で装飾されている枕である。また、袋状本体１０の両端部をリボン１３で結合してあるが、リボン１３以外の紐あるいは一部の縫い合わせ等の適当な結合手段によってデザインなどの目的に合わせて選択すればよい。【選択図】図１
0003165071.tif 000002
【実用新案登録請求の範囲】
【請求項１】
中に詰め物をし、柔らかい素材で作る細長い袋状の本体を複数個併設し袋状本体の、各々の両端部を結合させて成る枕。
【考案の詳細な説明】
【技術分野】
【０００１】  本考案は空間部を有する枕に関するものである。
【背景技術】
【０００２】  現在、ドウナツ状に空間部を有する枕あるいはＵ字状に屈曲させて空間部を形成している枕などが知られている。また、同じ目的で、二個の細長い風船を膨らませて両端を閉じて空間部を形成させる携帯用の枕も考えられる。
【考案の概要】
【考案が解決しようとする課題】
【０００３】  前記、公知の空間部を有する枕における空間部の形状が固定されており、枕に当てる頭部の部所によってはよくフィットせずに安定した睡眠が採れないなどの問題があり、本考案はこの問題を解決する空間部を有する枕を提供することが課題である。
【課題を解決するための手段】
【０００４】  複数の、柔らかい素材からなる細長い袋状の本体に直接、間接を問わず詰め物をして、該本体を併設して両端部を適当な手段によって結合して中に出来る空間部の形状を可変にすることの出来る枕として課題を解決している。
【考案の効果】
【０００５】  本考案によれば、従来の枕の空間部の形状が固定されていなく自由に形状を変えることが出来るので接触部が頭部、耳、頚椎、肩などによくフィットして安定感が得られると同時に耳などの圧迫感を回避でき安眠が得られやすいという特有の効果を有する他に小型化しやすく携帯に便利であり、他の枕との併用も容易であり、更に就寝中に接触の状態がよいので若返りに効果も期待できるものとなる。
【図面の簡単な説明】
【０００６】
【図１】  本考案の一実施例を示す部分断面図である。
【図２】  他の実施例を示す部分断面図である。
【実施例１】
【０００７】  以下、図面に従って本考案の実施態様について説明する。
図１は本考案の１実施例における全体を示す部分断面図であり、二組の袋状本体１０の中に中袋１１を設け、この中袋１１の中に詰め物１２を充填してある。二組の袋状本体１０の両端部は合わせてリボン１３で結合され、二組に袋状本体１０の間には空間部１５が形成されている。袋状本体１０の周辺部はフリル１４で装飾されている枕である。この実施例にあっては袋状本体１０の両端部をリボン１３で結合してあるが、リボン１３以外の紐あるいは一部の縫い合わせ等の適当な結合手段によってデザインなどの目的に合わせて選択すればよい。また袋状本体１０の周囲に施すフリル１４もこの実施例以外にレースなどで飾ることも自由である。中袋１１に詰める詰め物１２の材料には目的に応じて香りを発生させる花の実（ラベンダー）、木の葉（ケヤキ）などの使用も通常の詰め物としての豆類などと共に考えられるが粒状のものであればどのような素材でも構わない。この詰め物は袋に対して７０％程度の体積比で充填すると柔軟性が損なわれることがない。
【実施例２】
【０００８】  図２は、本考案の他の実施例を示したものである。
この実施例にあっては、三組の袋状本体１０の中に直接詰め物１２を充填してあり、袋状本体１０のそれぞれの両端部が紐１６によって結びつけられている。この実施例にあっては空間部１５が二箇所に出来ることになる。【０００９】  図に示すいずれの実施例にあっても、袋状本体１０を平行にして空間部１５を細長く形成して頭部を乗せ、横向きに寝る時には空間部１５を自分の耳に合わせて開いて使用することが出来、このように、本考案にあっては、空間部１５の形状を自由に変えることが出来るので様々な寝る姿勢に対応できるものとなる。
袋状本体１０は、肌触りなどを考慮すれば綿あるいは絹などが望ましいが、これに限るものではない。中袋１１は詰め物１２が漏れない程度の生地目の混んだ柔軟性および伸縮性のある素材であれば利用できニットなどが好ましい。
【符号の説明】
【００１０】１０    袋状本体
１１    中袋
１２    詰め物
１３    リボン
１４    フリル
１５    空間部
１６    紐
【図１】
0003165071.tif 000003
【図２】
0003165071.tif 000004